(57)【要約】 【課題】  高い信頼性を有する撮影システムを提供する。【解決手段】  撮像素子とその撮像素子の固有情報を保持する撮像素子固有情報保持手段とを備えた撮像素子ユニット１ａと、撮影レンズ１１ｂを備えるとともに撮像素子ユニット１ａが着脱自在に装着されその撮影レンズ１１ｂを経由して入射した被写体光を撮像素子上に結像してその撮像素子に画像信号を生成させるレンズユニット１ｂと、撮像素子ユニット１ａが装着された状態のレンズユニット１ｂが着脱自在に装着され画像信号を受け取って記録する本体ユニット１ｃとを備えたカメラシステム１において、レンズユニット１ｂに着脱自在に装着される撮像素子ユニット１ａが、本体ユニット１ｃとの間で通信を行なうための電気接点１１ａおよびレンズユニット１ｂとの間で通信を行なうための電気接点とを備えた。【選択図】  図１
2007235725.tif 000002
【特許請求の範囲】
【請求項１】
撮像素子と該撮像素子の固有情報を保持する撮像素子固有情報保持手段とを備えた撮像素子ユニットと、
撮影レンズを備えるとともに、前記撮像素子ユニットが着脱自在に装着され、該撮影レンズを経由して入射した被写体光を前記撮像素子上に結像して該撮像素子に画像信号を生成させるレンズユニットと、
前記撮像素子ユニットが装着された状態のレンズユニットが着脱自在に装着され画像信号を受け取って記録する本体ユニットとを備え、
前記撮像素子ユニットが、前記本体ユニットとの間で通信を行なうための第１の電気接点および前記レンズユニットとの間で通信を行なうための第２の電気接点とを備えたことを特徴とする撮影システム。
【請求項２】
前記撮像素子ユニットが、該撮像素子ユニットの撮像素子固有情報保持手段に保持された撮像素子固有情報を、前記第１の電気接点を介して前記本体ユニットに送信するものであることを特徴とする請求項１記載の撮影システム。
【請求項３】
撮像素子と該撮像素子の固有情報を保持する撮像素子固有情報保持手段とを備えた撮像素子ユニットと、
撮影レンズを備えるとともに、前記撮像素子ユニットが着脱自在に装着され、該撮影レンズを経由して入射した被写体光を前記撮像素子上に結像して該撮像素子に画像信号を生成させるレンズユニットと、
前記撮像素子ユニットが装着された状態のレンズユニットが着脱自在に装着され画像信号を受け取って記録する本体ユニットとを備え、
前記撮像素子ユニットが、前記レンズユニットとの間で通信を行なうための第３の電気接点を備え、該撮像素子ユニットの撮像素子固有情報保持手段に保持された撮像素子固有情報を該第３の電気接点を介して前記レンズユニットに送信するものであり、
前記レンズユニットが、前記本体ユニットとの間で通信を行なうための第４の電気接点を備え、前記撮像素子ユニットから受信した撮像素子固有情報を該第４の電気接点を介して前記本体ユニットに送信するものであることを特徴とする撮影システム。
【請求項４】
前記撮像素子ユニットは、前記レンズユニットを介在させてのみ、前記本体ユニットと通信を行なうものであることを特徴とする請求項３記載の撮影システム。
【請求項５】
前記撮像素子ユニットは、前記第３の電気接点に加え、さらに、前記本体ユニットとの間で直接に通信を行なうための第５の電気接点を備えたことを特徴とする請求項３記載の撮影システム。
【発明の詳細な説明】
【技術分野】
【０００１】
本発明は、撮像素子ユニットと、その撮像素子ユニットが着脱自在に装着されるレンズユニットと、そのレンズユニットが着脱自在に装着される本体ユニットとを備えた撮影システムに関する。
【背景技術】
【０００２】
従来より、撮像素子を備えた撮像素子ユニットと、撮影レンズを有しその撮像素子ユニットが着脱自在に装着されるカメラ本体とを備えたカメラシステムが知られている。このようなカメラシステムにおいて、様々なグレードの撮像素子を備えた撮像素子ユニットを取り揃えておいて、撮影する用途に応じた撮像素子を備えた撮像素子ユニットを選択してカメラ本体に装着することにより、適切な写真撮影を行なうことができるカメラシステムが知られている。ここで、撮像素子ユニットに備えられた撮像素子固有のばらつきを吸収するための技術が提案されている。
【０００３】
例えば、カメラ本体に備えられた測距素子からの合焦情報と、撮像素子ユニットに備えられた撮像素子からの合焦情報とに基づいて合焦補正値を算出し、この合焦補正値に基づいて撮影時における測距素子の合焦情報を補正することにより、撮像素子ユニットの交換に起因して生じる合焦誤差を防止する技術が提案されている。
【０００４】
また、カメラ本体に備えられた測光素子からの輝度情報と、撮像素子ユニットに備えられた撮像素子からの輝度情報とに基づいて測光補正値を算出し、この測光補正値に基づいて、撮影時における測光素子の輝度情報を補正することにより、撮像素子ユニットの交換に起因して生じる測光誤差を防止する技術が提案されている。
【特許文献１】特開２００２−１１６３７０号公報
【特許文献２】特開２００２−１１８７８６号公報
【発明の開示】
【発明が解決しようとする課題】
【０００５】
ここで、撮像素子ユニットと、その撮像素子ユニットが着脱自在に装着されるレンズユニットと、そのレンズユニットが着脱自在に装着される本体ユニットとを備えた撮影システムが知られている。このような撮影システムにおいて、上述したカメラシステムにおいて行なわれている撮像素子ユニットを交換する技術を採用すると、以下の問題が発生する。
（１）撮像素子ユニットを交換する操作が頻繁に行なわれると、これに伴い、その撮像素子ユニットが装着されたレンズユニットを本体ユニットに装着する操作も頻繁に行なわれる。すると、レンズユニットの、本体ユニットとの間で通信を行なうための電気接点が磨耗し、レンズユニットと本体ユニットとの間で不具合が発生する恐れや、レンズユニット自体の寿命が短くなるという問題が発生する。従って、撮影システムの信頼性が低いという問題がある。
（２）一般に、撮影システムを構成するレンズユニットおよび本体ユニットには、それぞれ専用のＣＰＵが備えられている。ここで、レンズユニットに装着された撮像素子ユニットが有する撮像素子の固有情報を本体ユニットに送信するにあたり、その固有情報を送信するための専用の電気接点およびＣＰＵどうしがやり取りを行なうための電気接点が必要とされる。このため、レンズユニットと本体ユニットとの双方に多くの電気接点が必要とされ、これに伴い撮影システムの信頼性が低下するという問題がある。
【０００６】
本発明は、上記事情に鑑み、高い信頼性を有する撮影システムを提供することを目的とする。
【課題を解決するための手段】
【０００７】
上記目的を達成する本発明の撮影システムのうちの第１の撮影システムは、
撮像素子とその撮像素子の固有情報を保持する撮像素子固有情報保持手段とを備えた撮像素子ユニットと、
撮影レンズを備えるとともに、上記撮像素子ユニットが着脱自在に装着され、その撮影レンズを経由して入射した被写体光を上記撮像素子上に結像してその撮像素子に画像信号を生成させるレンズユニットと、
上記撮像素子ユニットが装着された状態のレンズユニットが着脱自在に装着され画像信号を受け取って記録する本体ユニットとを備え、
上記撮像素子ユニットが、上記本体ユニットとの間で通信を行なうための第１の電気接点および上記レンズユニットとの間で通信を行なうための第２の電気接点とを備えたことを特徴とする。
【０００８】
本発明の第１の撮影システムは、レンズユニットに着脱自在に装着される撮像素子ユニットが、本体ユニットとの間で通信を行なうための第１の電気接点およびレンズユニットとの間で通信を行なうための第２の電気接点とを備えたものである。このため、撮像素子ユニットを交換する操作が頻繁に行なわれ、これに伴ってレンズユニットを本体ユニットに着脱する操作が頻繁に行なわれた場合であっても、撮像素子ユニットの、本体ユニットとの間で通信を行なうための第１の電気接点がその都度交換されることとなる。従って、従来の撮影システムにおいて発生する、レンズユニットの、本体ユニットとの間で通信を行なうための電気接点が磨耗して不具合が発生する恐れや、レンズユニットの寿命が短くなるという問題が解消され、高い信頼性を有する撮影システムを提供することができる。
【０００９】
ここで、本発明の第１の撮影システムにおける上記撮像素子ユニットが、その撮像素子ユニットの撮像素子固有情報保持手段に保持された撮像素子固有情報を、上記第１の電気接点を介して上記本体ユニットに送信するものであってもよい。
【００１０】
このようにすると、本体ユニットでは、第１の電気接点を介して送信された撮像素子固有情報に基づいて画像信号を処理することができる。
【００１１】
また、上記目的を達成する本発明の撮影システムのうちの第２の撮影システムは、
撮像素子とその撮像素子の固有情報を保持する撮像素子固有情報保持手段とを備えた撮像素子ユニットと、
撮影レンズを備えるとともに、上記撮像素子ユニットが着脱自在に装着され、その撮影レンズを経由して入射した被写体光を上記撮像素子上に結像してその撮像素子に画像信号を生成させるレンズユニットと、
上記撮像素子ユニットが装着された状態のレンズユニットが着脱自在に装着され画像信号を受け取って記録する本体ユニットとを備え、
上記撮像素子ユニットが、上記レンズユニットとの間で通信を行なうための第３の電気接点を備え、その撮像素子ユニットの撮像素子固有情報保持手段に保持された撮像素子固有情報をその第３の電気接点を介して上記レンズユニットに送信するものであり、
上記レンズユニットが、上記本体ユニットとの間で通信を行なうための第４の電気接点を備え、上記撮像素子ユニットから受信した撮像素子固有情報をその第４の電気接点を介して上記本体ユニットに送信するものであることを特徴とする。
【００１２】
本発明の第２の撮影システムは、撮像素子ユニットに備えられた第３の電気接点を介して撮像素子固有情報をレンズユニットに送信し、そのレンズユニットに備えられた第４の電気接点を介して本体ユニットに撮像素子固有情報を送信するものである。即ち、撮像素子ユニットからの撮像素子固有情報は、レンズユニットを介して本体ユニットに送信される。本体ユニットは、これを受けて、送信された撮像素子固有情報に基づいて画像信号を処理する。このため、従来の、レンズユニットおよび本体ユニットの双方にＣＰＵを備え、それらＣＰＵどうしでやり取りを行なって撮像素子固有情報を本体ユニットに送信する撮影システムと比較し、レンズユニットおよび本体ユニット双方の電気接点の数を小さく抑えることができ、高い信頼性を有する撮影システムを提供することができる。
【００１３】
ここで、本発明の第２の撮影システムにおける上記撮像素子ユニットは、上記レンズユニットを介在させてのみ、上記本体ユニットと通信を行なうものであることが好ましい。
【００１４】
このようにすると、撮像素子ユニットから撮像素子固有情報だけでなく画像信号も、レンズユニットを介して本体ユニットに送信することができる。従って、撮像素子ユニットから本体ユニットに画像信号を送信する必要もなく、撮像素子ユニットと本体ユニットとの間で通信を行なうための電気接点が不要となる。
【００１５】
また、本発明の第２の撮影システムにおける上記撮像素子ユニットは、上記第３の電気接点に加え、さらに、上記本体ユニットとの間で直接に通信を行なうための第５の電気接点を備えたものであってもよい。
【００１６】
このようにすると、撮像素子ユニットは、レンズユニットを介して撮像素子固有情報を本体ユニットに送信することができるとともに、本体ユニットに直接に画像信号を送信することができる。
【発明の効果】
【００１７】
本発明によれば、高い信頼性を有する撮影システムを提供することができる。
【発明を実施するための最良の形態】
【００１８】
以下、本発明の実施の形態について説明する。
【００１９】
図１は、本発明の第１の撮影システムの第１実施形態であるカメラシステムを示す図である。
【００２０】
図１には、本発明の第１の撮影システムの第１実施形態であるカメラシステム１が示されている。このカメラシステム１は、撮像素子ユニット１ａと、レンズユニット１ｂと、本体ユニット１ｃとから構成される。
【００２１】
撮像素子ユニット１ａには、後述する撮像素子および本体ユニット１ｃとの間で通信を行なうための電気接点１１ａ（本発明にいう第１の電気接点の一例に相当）が備えられている。
【００２２】
レンズユニット１ｂは、撮影レンズ１１ｂを備えるとともに、撮像素子ユニット１ａが着脱自在に装着され、撮影レンズ１１ｂを経由して入射した被写体光を撮像素子上に結像してその撮像素子に画像信号を生成させる。
【００２３】
本体ユニット１ｃは、撮像素子ユニット１ａが装着された状態のレンズユニット１ｂが着脱自在に装着され画像信号を受け取って記録する。この本体ユニット１ｃの中央には、撮像素子ユニット１ａの電気接点１１ａに接触する電気接点１１ｃを持つマウント部１２ｃが設けられている。
【００２４】
また、本体ユニット１ｃの上面には、レリーズ釦１３ｃと、モードダイヤル１４ｃが配備されている。さらに、本体ユニット１ｃの前面には、ＡＷＢセンサ１５ｃと閃光発光窓１６ｃが設けられている。尚、モードダイヤル１４ｃは、静止画撮影モード、動画撮影モード等を選択することができる。
【００２５】
このカメラシステム１で撮影を行なう場合は、撮像素子ユニット１ａが装着された状態のレンズユニット１ｂと本体ユニット１ｃとの双方の電気接点１１ａ，１１ｃの位置がそれぞれ合うように図中の一点鎖線に沿ってレンズユニット１ｂが本体ユニット１ｃに機械的に装着される。これにより、電気接点１１ａ，１１ｃ同士が各々接続されてレンズユニット１ｂと本体ユニット１ｃとが電気的にも接続されることとなる。
【００２６】
図２は、図１に示すカメラシステムを構成する本体ユニットの背面を示す図である。
【００２７】
図２に示す本体ユニット１ｃの背面には、表示部（ＬＣＤパネル）１７ｃが備えられている。また、この表示部１７ｃの右側には操作キーとして十字キー１８ｃが設けられており、表示部１７ｃ上にメニュー画面などが表示された場合には、その十字キー１８ｃのＵＰキー１８ｃ１、ＤＯＷＮキー１８ｃ２、右キー１８ｃ３、左キー１８ｃ４の４つのキーを操作することによってメニューの選択を行なうことができる。
【００２８】
さらに、その十字キー１８ｃの上方には、そのメニューを表示部１７ｃ上に表示させるためのメニューキー１９ｃと、そのメニューキー１９ｃの操作によりメニューが表示され、十字キー１８ｃのいずれかのキーにより表示部１７ｃに表示されたメニュー画面の中の複数の選択項目のうちいずれかの項目が選択されたときに、その項目を実行するために操作される実行キー２０ｃが備えられている。
【００２９】
図３は、図１に示すカメラシステムを構成する撮像素子ユニットがレンズユニットに装着される様子を示す図である。
【００３０】
図３には、図１に示すカメラシステム１を構成する撮像素子ユニット１ａとレンズユニット１ｂとが示されている。撮像素子ユニット１ａには、本体ユニット１ｃ（図１参照）との間で通信を行なうための電気接点１１ａが備えられている。また、この撮像素子ユニット１ａには、レンズユニット１ｂが装着される側に、撮像素子１０ａと、レンズユニット１ｂとの間で通信を行なうための電気接点１２ａ（本発明にいう第２の電気接点の一例に相当）が備えられている。
【００３１】
一方、レンズユニット１ｂには、上記撮像素子１０ａが嵌め込まれる穴部１３ｂおよび上記電気接点１２ａが接触する電気接点１２ｂが備えられている。
【００３２】
図４は、図１に示すカメラシステムを構成する撮像素子ユニットがレンズユニットに装着された状態にあるときの電気系統の構成を示すブロック図である。
【００３３】
図４の上方側には撮像素子ユニット１ａの構成が、また図４の下方側にはレンズユニット１ｂの構成がそれぞれ示されている。先ず、撮像素子ユニット１ａ側の構成について説明する。
【００３４】
撮像素子ユニット１ａには、前述した撮影素子１０ａと、ＡＤコンバータ１３ａと、ゲイン調整手段１４ａと、撮像素子駆動制御回路１５ａと、撮像素子固有情報保持手段１６ａとが備えられている。また、この撮像素子ユニット１ａには、前述した電気接点１１ａ，１２ａが備えられている。尚、電気接点１１ａとしては、本体ユニット１ｃに撮像素子固有情報を送信するための撮像素子情報用のもの、本体ユニット１ｃとの間で画像信号の通信を行なうための画像データリンク用，コマンドリンク用のもの、およびグラウンド（ＧＮＤ）用，電源用のものがある。また、電気接点１２ａとしては、レンズユニット１ｂに撮像素子固有情報を送信するための撮像素子情報用のもの、撮像素子駆動制御回路１５ａを制御するためのもの、レンズユニット１ｂとの間で画像信号の通信を行なうためのもの、およびレンズユニット１ｂへの電源供給用のものがある。
【００３５】
この撮像素子ユニット１ａでは、撮影レンズ１１ｂ（図１参照）を経由して入射した被写体光を撮像素子１０ａ上に結像してその撮像素子１０ａでアナログの画像信号を生成する。生成されたアナログの画像信号はＡＤコンバータ１３ａに入力され、そのＡＤコンバータ１３ａでデジタルの画像信号に変換される。さらに、このデジタルの画像信号は、ゲイン調整手段１４ａに入力されてその画像信号のゲインが調整され、バスラインおよび電気接点１２ａを経由してレンズユニット１ｂに向けて出力される。
【００３６】
また、撮像素子駆動制御回路１５ａには、レンズユニット１ｂからの制御信号が電気接点１２ｂ，１２ａを経由して入力される。撮像素子駆動制御回路１５ａは、この制御信号に基づいてタイミング信号を生成し、このタイミング信号に同期して撮像素子１０ａ，ＡＤコンバータ１３ａ，ゲイン調整手段１４ａが動作する。
【００３７】
ここで、撮像素子固有情報保持手段１６ａには、詳細は後述する撮像素子１０ａの固有情報が保持されており、この撮像素子固有情報保持手段１６ａは、この撮像素子固有情報を電気接点１１ａ，１２ａを経由して本体ユニット１ｃ，レンズユニット１ｂに向けて出力する。
【００３８】
一方、レンズユニット１ｂには、信号処理回路１４ｂと、データ通信制御部１５ｂと、コマンド通信制御部１６ｂと、電源制御部１７ｂと、システム制御回路１８ｂとが備えられている。
【００３９】
信号処理回路１４ｂは、撮像素子ユニット１ａからの画像信号を電気接点１２ｂを経由して入力し、入力された画像信号を、システム制御回路１８ｂからの撮像素子固有情報に基づいて信号処理する。信号処理された画像信号は、データ通信制御部１５ｂ，コマンド通信制御部１６ｂで通信制御され、電気接点１２ｂ，１２ａ，１１ａを経由して本体ユニット１ｃに送信される。また、電源制御部１７ｂは、撮像素子ユニット１ａからの電源電圧を電気接点１２ｂを経由して入力し、入力された電圧を制御してレンズユニット１ｂの各部に供給する。
【００４０】
さらに、このレンズユニット１ｂには、光学系制御部１９ｂと、ズーム制御部２０ｂと、フォーカス制御部２１ｂと、絞り制御部２２ｂと、シャッタ制御部２３ｂとが備えられている。システム制御回路１８ｂには、撮像素子ユニット１ａからの画像信号が電気接点１２ａ，１２ｂを経由して入力される。システム制御回路１８ｂに入力された画像信号は、光学系制御部１９ｂを経由して、ズーム制御部２０ｂ，フォーカス制御部２１ｂ，絞り制御部２２ｂ，シャッタ制御部２３ｂに供給され、撮影レンズ１１ｂのズーム制御が行なわれたり、その撮影レンズ１１ｂ内のフォーカスレンズの位置が調節されたり、絞りの径が調節されたり、シャッタ制御が行なわれたりする。以上が、撮像素子ユニットおよびレンズユニットの構成である。次に、本体ユニット１ｃの構成について説明する。
【００４１】
図５は、図１に示すカメラシステムを構成する本体ユニットの構成を示す図である。
【００４２】
図５に示す本体ユニット１ｃには、撮像素子ユニット１ａの電気接点１１ａと接触する電気接点１１ｃが備えられている。また、この本体ユニット１ｃには、システム制御回路３１ｃと、データ通信制御部３２ｃと、コマンド通信制御部３３ｃと、記憶部３４ｃと、前述した表示部１７ｃと、前述した十字キー１８ｃ等からなる操作部３８ｃとが備えられている。
【００４３】
電気接点１１ｃを経由して入力された撮像素子固有情報や画像信号は、システム制御回路３１ｃで制御されて記憶部３４ｃに記憶される。また、システム制御回路３１ｃは、撮像素子固有情報に基づいて画像信号を生成して表示部１７ｃに表示したり、あるいは操作部３８ｃからの操作情報をデータ通信制御部３２ｃ，コマンド通信制御部３３ｃとともに通信制御し電気接点１１ｃを経由してレンズユニット１ｂに送信したりする。
【００４４】
また、本体ユニット１ｃには、このカメラシステム１全体の電力供給源である電池３５ｃと、外部からの電源電圧が入力される電源ジャック３６ｃと、電池３５や電源ジャック３６ｃからの電圧を制御して各部に供給する電源制御部３７ｃとが備えられている。
【００４５】
図６は、撮像素子固有情報の一例を示す図である。
【００４６】
図６に示す撮像素子固有情報１００は、画素数情報１０１と、色配列１０２と、画素読み出し順情報１０３と、欠陥画素情報１０４と、ゲインばらつき情報１０５と、黒レベル補正値情報１０６と、撮像素子ユニットＩＤ１０７とから構成されている。
【００４７】
画素数情報１０１，色配列１０２，画素読み出し順情報１０３は、撮像素子の種類によって定まる情報であり、あらかじめ撮像素子固有情報保持手段１６ａに保持されている。
【００４８】
欠陥画素情報１０４，ゲインばらつき情報１０５，黒レベル補正値情報１０６は、撮像素子のばらつきによって定まる情報であり、工場出荷時に測定されて撮像素子固有情報保持手段１６ａに保持される。欠陥画素情報１０４は、全ての素子に光をあてて、出力のなかった画素の位置情報である。また、ゲインばらつき情報１０５は、ある定められた光量を撮像素子に露光させてその出力レベルと定められた基準値との差分値情報である。さらに、黒レベル補正値情報１０６は、撮像素子を遮光したときにその出力レベルと定められた基準値との差分値情報である。
【００４９】
本発明の第１の撮影システムの第１本実施形態であるカメラシステム１は、レンズユニット１ｂに着脱自在に装着される撮像素子ユニット１ａが、本体ユニット１ｃとの間で通信を行なうための電気接点１１ａおよびレンズユニット１ｂとの間で通信を行なうための電気接点１２ａとを備えたものである。このため、撮像素子ユニット１ａを交換する操作が頻繁に行なわれ、これに伴ってレンズユニット１ｂを本体ユニット１ｃに着脱する操作が頻繁に行なわれた場合であっても、撮像素子ユニット１ａの、本体ユニット１ｃとの間で通信を行なうための電気接点１１ａは、その都度交換されることとなる。従って従来のカメラユニットにおいて発生する、レンズユニットの、本体ユニットとの間で通信を行なうための電気接点が磨耗して不具合が発生する恐れや、レンズユニットの寿命が短くなるという問題が解消され、高い信頼性を有するカメラシステム１を提供することができる。
【００５０】
次に、本発明の第１の撮影システムの第２本実施形態であるカメラシステムについて、図７、図８を参照して説明する。
【００５１】
図７は、本発明の第１の撮影システムの第２本実施形態であるカメラシステムの、撮像素子ユニットがレンズユニットに装着された状態にあるときの電気系統の構成を示すブロック図、図８は、本発明の第１の撮影システムの第２本実施形態であるカメラシステムの、本体ユニットの構成を示す図である。
【００５２】
尚、本発明の第１の撮影システムの第２本実施形態であるカメラシステム２の外観斜視図は、図１、図２、図３に示すカメラシステム１の外観斜視図と同じであるため、図示省略する。
【００５３】
このカメラシステム２は、前述したカメラシステム１と比較し、以下の点が異なっている。前述したカメラシステム１では、図４に示すレンズユニット１ｂに信号処理回路１４ｂを備えた例で説明したが、このカメラシステム２では、図８に示す本体ユニット２ｃに信号処理回路１４ｂを備え、この信号処理回路１４ｂで画像信号を処理する。詳細には、この信号処理回路１４ｂは、図７に示す撮像素子ユニット２ａからの撮像素子固有情報および画像信号を、その撮像素子ユニット２ａに備えられた電気接点１１ａを経由し、さらに本体ユニット２ｃに備えられた電気接点１１ｃを経由して受け取り、撮像素子固有情報に基づいて画像信号を処理する。このように、撮像素子ユニット２ａに備えられた撮像素子１０ａが有する固有情報および画像信号を本体ユニット２ｃに送信し、その本体ユニット２ｃに備えられた信号処理回路１４ｂで、送信された固有情報に基づいて画像信号を処理してもよい。このカメラシステム２においても、前述したカメラシステム１と同様に、レンズユニット２ｂが本体ユニット２ｃに頻繁に着脱された場合であっても、撮像素子ユニット２ａの、本体ユニット２ｃとの間で通信を行なうための電気接点１１ａが、その都度交換されることとなり、従って高い信頼性を有するカメラシステム２が実現される。
【００５４】
図９は、本発明の第２の撮影システムの第１実施形態であるカメラシステムを示す図、図１０は、図９に示すカメラシステムを構成する撮像素子ユニットがレンズユニットに装着される様子を示す図である。尚、前述した図１に示すカメラシステム１の構成要素と同じ構成要素には同一の符号を付し、異なる点について説明する。
【００５５】
図９には、本発明の第２の撮影システムの第１実施形態であるカメラシステム３が示されている。このカメラシステム３は、図１０に示す撮像素子ユニット３ａと、この撮像素子ユニット３ａが着脱自在に装着されるレンズユニット３ｂと、本体ユニット３ｃとから構成される。
【００５６】
撮像素子ユニット３ａには、図１０に示すように、レンズユニット３ｂとの間で通信を行なうための電気接点３２ａ（本発明にいう第３の電気接点の一例に相当）が備えられている。この撮像素子ユニット３ａは、撮像素子ユニット３ａの撮像素子固有情報保持手段に保持された撮像素子固有情報を電気接点３２ａを介してレンズユニット３ｂに送信する。
【００５７】
レンズユニット３ｂは、図９，図１０に示すように、レンズ筐体部３０ｂ１と、本体ユニット３ｃに嵌め込まれる嵌込部３０ｂ２を有する。嵌込部３０ｂ２には、本体ユニット３ｃとの間で通信を行なうための電気接点３２ｂ（本発明にいう第４の電気接点の一例に相当）が備えられている。このレンズユニット３ｂは、撮像素子ユニット３ａから受信した撮像素子固有情報を電気接点３２ｂを介して本体ユニット３ｃに送信する。また、レンズユニット３ｂは、図１０に示すように、撮像素子ユニット３ａが着脱自在に装着される凹部３３ｂおよび電気接点３２ａが挿入される電気接点３４ｂを有する。
【００５８】
図１１は、図９に示すカメラシステムを構成する撮像素子ユニットがレンズユニットに装着された状態にあるときの電気系統の構成を示すブロック図、図１２は、図９に示すカメラシステムを構成する本体ユニットの構成を示す図である。
【００５９】
尚、前述した図１に示すカメラシステムを構成する構成要素と同じ構成要素には同一の符号を付し、異なる点について説明する。
【００６０】
図１１の上方側には撮像素子ユニット３ａの構成が、また図１１の下方側にはレンズユニット３ｂの構成がそれぞれ示されている。撮像素子ユニット３ａは、レンズユニット３ｂを介在させてのみ、本体ユニット３ｃと通信を行なう。具体的には、撮像素子ユニット３ａには、前述した電気接点３２ａのみが備えられており、これら電気接点３２ａは、レンズユニット３ｂに備えられた電気接点３４ｂと接触することにより、レンズユニット３ｂに備えられた信号処理回路１４ｂに画像信号を送信する。
【００６１】
信号処理回路１４ｂは、撮像素子ユニット３ａからの画像信号を撮像素子固有情報に基づいて信号処理する。信号処理された画像信号は、画像データリンク用，コマンドリンク用の電気接点３２ｂを経由して、図１２に示す本体ユニット３ｃに送信される。本体ユニット３ｃでは、送信されてきた画像信号を電気接点１１ｃを経由してシステム制御回路３１ｃで受け取って、記憶部３４ｃに記憶したり表示部１７ｃに表示したり、あるいは操作部３８ｃからの操作情報をデータ通信制御部３２ｃ，コマンド通信制御部３３ｃで通信制御し電気接点１１ｃを経由してレンズユニット１ｂに送信したりする。
【００６２】
本発明の第２の撮影システムの第１本実施形態であるカメラシステム３は、撮像素子ユニット３ａに備えられた電気接点３２ａを介して撮像素子固有情報および画像信号をレンズユニット３ｂに送信し、そのレンズユニット３ｂに備えられた信号処理回路１４ｂで撮像素子固有情報に基づいて画像信号を処理して電気接点３２ｂを介して本体ユニット３ｃに送信するものである。即ち、撮像素子ユニット３ａからの撮像素子固有情報および画像信号は、レンズユニット３ｂを介して本体ユニット３ｃに送信される。具体的には、レンズユニット３ｂで撮像素子固有情報に基づいて画像信号を処理して本体ユニット３ｃに送信する。このため、従来の、レンズユニットおよび本体ユニットの双方にＣＰＵを備え、それらＣＰＵどうしでやり取りを行なって撮像素子固有情報を本体ユニットに送信する撮影システムと比較し、レンズユニット３ｂおよび本体ユニット３ｃ双方の電気接点３２ｂ，１１ｃの数を小さく抑えることができ、高い信頼性を有するカメラシステム３を提供することができる。
【００６３】
図１３は、本発明の第２の撮影システムの第２本実施形態であるカメラシステムの、撮像素子ユニットがレンズユニットに装着された状態にあるときの電気系統の構成を示すブロック図、図１４は、本発明の第２の撮影システムの第２本実施形態であるカメラシステムの、本体ユニットの構成を示す図である。
【００６４】
本発明の第２の撮影システムの第２本実施形態であるカメラシステム４は、上述したカメラシステム３と比較し、以下の点が異なっている。
【００６５】
上述したカメラシステム３では、図１１に示すレンズユニット３ｂに信号処理回路１４ｂを備えた例で説明したが、このカメラシステム４では、図１４に示す本体ユニット４ｃに信号処理回路１４ｂを備え、この信号処理回路１４ｂで画像信号を処理する。詳細には、図１３に示す撮像素子ユニット４ａからの撮像素子固有情報および画像信号は、電気接点３２ａ，３４ｂを経由してレンズユニット４ｂに送信され、さらにそれら撮像素子固有情報および画像信号は、レンズユニット４ｂの電気接点３２ｂ，本体ユニット４ｃの電気接点１１ｃを経由して、その本体ユニット４ｃに備えられた信号処理回路１４ｂで信号処理される。このように、撮像素子ユニット４ａから撮像素子固有情報および画像信号をレンズユニット４ｂを介して本体ユニット４ｃに送信し、その本体ユニット４ｃに備えられた信号処理回路１４ｂで画像信号を処理してもよい。
【００６６】
図１５は、本発明の第２の撮影システムの第３実施形態であるカメラシステムを示す図、図１６は、図１５に示すカメラシステムを構成する撮像素子ユニットがレンズユニットに装着される様子を示す図である。
【００６７】
図１５には、本発明の第２の撮影システムの第３実施形態であるカメラシステム５が示されている。このカメラシステム５は、図１６にも示す撮像素子ユニット５ａと、この撮像素子ユニット５ａが着脱自在に装着されるレンズユニット５ｂと、本体ユニット５ｃとから構成される。
【００６８】
図１７は、図１５に示すカメラシステムを構成する撮像素子ユニットがレンズユニットに装着された状態にあるときの電気系統の構成を示すブロック図、図１８は、図１５に示すカメラシステムを構成する本体ユニットの構成を示す図である。
【００６９】
図１７の上方側には撮像素子ユニット５ａの構成が、また図１７の下方側にはレンズユニット５ｂの構成がそれぞれ示されている。撮像素子ユニット５ａは、電気接点３２ａに加え、さらに、図１８に示す本体ユニット５ｃとの間で直接に通信を行なうための電気接点５１ａ（本発明にいう第５の電気接点の一例に相当）が備えられている。
【００７０】
撮像素子ユニット５ａは、電気接点３２ａを経由してレンズユニット５ｂに撮像素子固有情報および画像信号を送信する。また、撮像素子ユニット５ａは、電気接点５１ａを経由して本体ユニット５ｃと直接に通信を行なう。
【００７１】
レンズユニット５ｂに備えられた信号処理回路１４ｂは、撮像素子ユニット５ａからの画像信号を撮像素子固有情報に基づいて信号処理する。信号処理された画像信号は、撮像素子ユニット５ａの画像データリンク用，コマンドリンク用の電気接点５１ａを経由して、図１８に示す本体ユニット５ｃに送信される。尚、本体ユニット５ｃの構成は、前述した図１２に示す本体ユニット３ｃの構成と同じであるため、説明は省略する。このように、撮像素子ユニット５ａが、レンズユニット５ｂとの間で通信を行なうための電気接点３２ａに加え、本体ユニット５ｃとの間で直接に通信を行なうための電気接点５１ａを備え、レンズユニット５ｂに備えられた信号処理回路１４ｂで画像信号を撮像素子固有情報に基づいて信号処理して本体ユニット５ｃに送信してもよい。
【００７２】
図１９は、本発明の第２の撮影システムの第４本実施形態であるカメラシステムの、撮像素子ユニットがレンズユニットに装着された状態にあるときの電気系統の構成を示すブロック図、図２０は、本発明の第２の撮影システムの第４本実施形態であるカメラシステムの、本体ユニットの構成を示す図である。
【００７３】
本発明の第２の撮影システムの第４本実施形態であるカメラシステム６は、上述したカメラシステム５と比較し、以下の点が異なっている。
【００７４】
上述したカメラシステム５では、レンズユニット５ｂに信号処理回路１４ｂを備えた例で説明したが、このカメラシステム６では、図２０に示す本体ユニット６ｃに信号処理回路１４ｂが備えられている。このカメラシステム６では、撮像素子ユニット６ａからの撮像素子固有情報がレンズユニット６ｂを介して本体ユニット６ｃに送信されるとともに、撮像素子ユニット６ａからの画像信号は電気接点５１ａを経由して本体ユニット６ｃに直接に送信される。本体ユニット６ｃでは、その本体ユニット６ｃに備えられた信号処理回路１４ｂで、撮像素子固有情報に基づいて画像信号を処理する。このようにして、撮像素子ユニット６ａからの画像信号を本体ユニット６ｃで処理してもよい。
【図面の簡単な説明】
【００７５】
【図１】本発明の第１の撮影システムの第１実施形態であるカメラシステムを示す図である。
【図２】図１に示すカメラシステムを構成する本体ユニットの背面を示す図である。
【図３】図１に示すカメラシステムを構成する撮像素子ユニットがレンズユニットに装着される様子を示す図である。
【図４】図１に示すカメラシステムを構成する撮像素子ユニットがレンズユニットに装着された状態にあるときの電気系統の構成を示すブロック図である。
【図５】図１に示すカメラシステムを構成する本体ユニットの構成を示す図である。
【図６】撮像素子固有情報の一例を示す図である。
【図７】本発明の第１の撮影システムの第２本実施形態であるカメラシステムの、撮像素子ユニットがレンズユニットに装着された状態にあるときの電気系統の構成を示すブロック図である。
【図８】本発明の第１の撮影システムの第２本実施形態であるカメラシステムの、本体ユニットの構成を示す図である。
【図９】本発明の第２の撮影システムの第１実施形態であるカメラシステムを示す図である。
【図１０】図９に示すカメラシステムを構成する撮像素子ユニットがレンズユニットに装着される様子を示す図である。
【図１１】図９に示すカメラシステムを構成する撮像素子ユニットがレンズユニットに装着された状態にあるときの電気系統の構成を示すブロック図である。
【図１２】図９に示すカメラシステムを構成する本体ユニットの構成を示す図である。
【図１３】本発明の第２の撮影システムの第２本実施形態であるカメラシステムの、撮像素子ユニットがレンズユニットに装着された状態にあるときの電気系統の構成を示すブロック図である。
【図１４】本発明の第２の撮影システムの第２本実施形態であるカメラシステムの、本体ユニットの構成を示す図である。
【図１５】本発明の第２の撮影システムの第３実施形態であるカメラシステムを示す図である。
【図１６】図１５に示すカメラシステムを構成する撮像素子ユニットがレンズユニットに装着される様子を示す図である。
【図１７】図１５に示すカメラシステムを構成する撮像素子ユニットがレンズユニットに装着された状態にあるときの電気系統の構成を示すブロック図である。
【図１８】図１５に示すカメラシステムを構成する本体ユニットの構成を示す図である。
【図１９】本発明の第２の撮影システムの第４本実施形態であるカメラシステムの、撮像素子ユニットがレンズユニットに装着された状態にあるときの電気系統の構成を示すブロック図である。
【図２０】本発明の第２の撮影システムの第４本実施形態であるカメラシステムの、本体ユニットの構成を示す図である。
【符号の説明】
【００７６】
１，２，３，４，５，６  カメラシステム
１ａ，２ａ，３ａ，４ａ，５ａ，６ａ  撮像素子ユニット
１ｂ，２ｂ，３ｂ，４ｂ，５ｂ，６ｂ  レンズユニット
１ｃ，２ｃ，３ｃ，４ｃ，５ｃ，６ｃ  本体ユニット
１０ａ  撮像素子
１１ａ，１１ｃ，１２ａ，１２ｂ，３２ａ，３２ｂ，３４ｂ，５１ａ  電気接点
１１ｂ  撮影レンズ
１２ｃ  マウント部
１３ａ  ＡＤコンバータ
１３ｂ  穴部
１４ａ  ゲイン調整手段
１４ｂ  信号処理回路
１４ｃ  モードダイヤル
１５ａ  撮像素子駆動制御回路
１５ｂ，３２ｃ  データ通信制御部
１５ｃ  ＡＷＢセンサ
１６ａ  撮像素子固有情報保持手段
１６ｂ，３３ｃ  コマンド通信制御部
１６ｃ  閃光発光窓
１７ｂ  電源制御部
１７ｃ  表示部（ＬＣＤパネル）
１８ｂ，３１ｃ  システム制御回路
１８ｃ  十字キー
１８ｃ１  ＵＰキー
１８ｃ２  ＤＯＷＮキー
１８ｃ３  右キー
１８ｃ４  左キー
１９ｂ  光学系制御部
１９ｃ  メニューキー
２０ｂ  ズーム制御部  １３ｃ  レリーズ釦
２０ｃ  実行キー
２１ｂ  フォーカス制御部
２２ｂ  絞り制御部
２３ｂ  シャッタ制御部
３０ｂ１  レンズ筐体部
３０ｂ２  嵌込部
３３ｂ  凹部
３４ｃ  記憶部
３５ｃ  電池
３６ｃ  電源ジャック
３７ｃ  電源制御部
３８ｃ  操作部
１００  撮像素子固有情報
１０１  画素数情報
１０２  色配列
１０３  画素読み出し順情報
１０４  欠陥画素情報
１０５  ゲインばらつき情報
１０６  黒レベル補正値情報
１０７  撮像素子ユニットＩＤ
【図１】
2007235725.tif 000003
【図２】
2007235725.tif 000004
【図３】
2007235725.tif 000005
【図４】
2007235725.tif 000006
【図５】
2007235725.tif 000007
【図６】
2007235725.tif 000008
【図７】
2007235725.tif 000009
【図８】
2007235725.tif 000010
【図９】
2007235725.tif 000011
【図１０】
2007235725.tif 000012
【図１１】
2007235725.tif 000013
【図１２】
2007235725.tif 000014
【図１３】
2007235725.tif 000015
【図１４】
2007235725.tif 000016
【図１５】
2007235725.tif 000017
【図１６】
2007235725.tif 000018
【図１７】
2007235725.tif 000019
【図１８】
2007235725.tif 000020
【図１９】
2007235725.tif 000021
【図２０】
2007235725.tif 000022